(57)【要約】【課題】クリアファイルと一体的に、かつ、看者の購買意欲をそそる態様で販売されるクリアファイル用スタンド基板等の提供。【解決手段】支持辺を有する起立部と、底面部と、前面飾部と、起立部および底面部を連絡する底面部折曲線とを備える略平板状のクリアファイル用スタンド基板であって、上辺および一側辺が開放されたクリアファイルに収納されたときに、前記起立部および前記底面部が露出せず、前記クリアファイルの上辺から前記前面飾部が露出することを特徴とするクリアファイル用スタンド基板。【選択図】図３
2017203971.tif 000002
【特許請求の範囲】
【請求項１】
支持辺を有する起立部と、底面部と、前面飾部と、起立部および底面部を連絡する底面部折曲線とを備える略平板状のクリアファイル用スタンド基板であって、
上辺および一側辺が開放されたクリアファイルに収納されたときに、前記起立部および前記底面部が露出せず、前記クリアファイルの上辺から前記前面飾部が露出することを特徴とするクリアファイル用スタンド基板。
【請求項２】
前記底面部折曲線に沿って折り曲げて組み立てられると、前記起立部が前記底面部に対して起立した状態となり、
前記起立部の支持辺にクリアファイルを立て掛けて面陳列することができることを特徴とする請求項１に記載のクリアファイル用スタンド基板。
【請求項３】
前記底面部が、前記支持辺に立て掛けて面陳列されたクリアファイルの下辺の移動を規制する係止片と、係止片の根元に設けられた係止片折曲線とを備え、
前記係止片が、前記支持辺に立て掛けて面陳列されたクリアファイルを押圧して上面視アーチ形とする位置に配置されていることを特徴とする請求項２に記載のクリアファイル用スタンド基板。
【請求項４】
前記底面部が、前記起立部に挿入される爪部と、爪部の根元に設けられた爪部折曲線とを備え、
前記起立部が、前記爪部を挿入可能な被挿入部を有することを特徴とする請求項２または３に記載のクリアファイル用スタンド基板。
【請求項５】
前記起立部が、後面部と、前記支持辺を有する左側面部と、前記支持辺を有する右側面部と、前記後面部と前記左側面部とを連絡する左側折曲線と、前記後面部と前記右側面部とを連絡する右側折曲線とを備えることを特徴とする請求項２ないし４のいずれかに記載のクリアファイル用スタンド基板。
【請求項６】
前記左側面部および前記右側面部が、それぞれ中抜き形成された被挿通部をそれぞれ備えることを特徴とする請求項５に記載のクリアファイル用スタンド基板。
【請求項７】
さらに、前記底面部と前記前面飾部とを連絡する前面飾部折曲線を備え、
前記前面飾部折曲線に沿って前記前面飾部を折り曲げると、前記前面飾部が前記起立部と対向して起立した状態となることを特徴とする請求項５または６に記載のクリアファイル用スタンド基板。
【請求項８】
前記前面飾部折曲線、前記底面部折曲線、前記左側折曲線および前記右側折曲線を第一の方向に折り曲げることで前記起立部の支持辺にクリアファイルを立て掛けて面陳列可能に組み立てることができること、
前記前面飾部折曲線、前記底面部折曲線、前記左側折曲線および前記右側折曲線を第一の方向と異なる第二の方向に折り曲げることで前記起立部の支持辺にクリアファイルを立て掛けて面陳列可能に組み立てることができることを特徴とする請求項５ないし７のいずれかに記載のクリアファイル用スタンド基板。
【請求項９】
請求項１ないし８のいずれかに記載のクリアファイル用スタンド基板が収納されたクリアファイル用スタンド基板付きクリアファイル。
【請求項１０】
前記前面飾部の左右方向の幅が、前記クリアファイルの左右方向の幅より僅かに小さいことを特徴とする請求項９に記載のクリアファイル用スタンド基板付きクリアファイル。
【発明の詳細な説明】
【技術分野】
【０００１】
本発明は、面陳列用のクリアファイルのスタンドとなるクリアファイル用スタンド基板およびクリアファイル用スタンド基板付きクリアファイルに関する。
【背景技術】
【０００２】
従来から、クリアファイルに紙類を収納して保管・移動することができる、二枚のシートを重ね合わせ二辺をシールしたクリアファイルが知られている（例えば、特許文献１）。
また、クリアファイルのシートに装飾デザインや筆記可能な塗装（例えば、特許文献２）を施すことも行われ、装飾効果や機能性の目新しさはユーザの興味を引き付け、宣伝広告効果や購買意欲の向上に大いに貢献している。
【先行技術文献】
【特許文献】
【０００３】
【特許文献１】特開２００３−０２５７７８号公報
【特許文献２】実用新案登録第３１６０１６１号公報
【発明の概要】
【発明が解決しようとする課題】
【０００４】
イベント会場などで出演者・キャラクターの肖像・画像等が印刷されたクリアファイルが販売されており、クリアファイルの購入者は、クリアファイルに紙類を収納して保管・移動するという、いわばクリアファイルの本来的な利用方法の他に、クリアファイルを面陳列（ディスプレイ）してクリアファイルの表面や裏面に印刷等された肖像・画像等を鑑賞するという楽しみ方をするケースがある。このクリアファイルの面陳列に際して、机などに載置する場合には、クリアファイル自体は薄いため単独で起立させることが困難であるため、クリアファイルのスタンドが必要となる。そのスタンドが予め組み立てられたものであると嵩張り、取り扱いが煩雑となるため、クリアファイル用スタンド基板を必要に応じて組み立ててスタンドを実現することができれば便利である。そのうえで、クリアファイルとクリアファイル用スタンド基板が取り扱いやすい状態で一体的に、かつ、看者の購買意欲を喚起する態様で供されることが望ましい。
【０００５】
そこで、本発明は、クリアファイルと一体的に、かつ、看者の購買意欲を喚起する態様で供されるクリアファイル用スタンド基板およびクリアファイル用スタンド基板付きクリアファイルを提供することを目的とする。
【課題を解決するための手段】
【０００６】
上記課題を解決する本発明は、以下の技術手段により実現される。
［１］支持辺を有する起立部（２０）と、底面部（２２）と、前面飾部（２１）と、起立部および底面部を連絡する底面部折曲線（２２ａ）とを備える略平板状のクリアファイル用スタンド基板であって、
上辺および一側辺が開放されたクリアファイルに収納されたときに、前記起立部および前記底面部が露出せず、前記クリアファイルの上辺から前記前面飾部が露出することを特徴とするクリアファイル用スタンド基板。
［２］前記底面部折曲線に沿って折り曲げて組み立てられると、前記起立部が前記底面部に対して起立した状態となり、
前記起立部の支持辺にクリアファイルを立て掛けて面陳列することができることを特徴とする［１］に記載のクリアファイル用スタンド基板。
［３］前記底面部が、前記支持辺に立て掛けて面陳列されたクリアファイルの下辺の移動を規制する係止片（２８）と、係止片の根元に設けられた係止片折曲線（２８ａ）とを備え、
前記係止片が、前記支持辺に立て掛けて面陳列されたクリアファイルを押圧して上面視アーチ形とする位置に配置されていることを特徴とする［２］に記載のクリアファイル用スタンド基板。
［４］前記底面部が、前記起立部に挿入される爪部（２６、２７）と、爪部の根元に設けられた爪部折曲線とを備え、
前記起立部が、前記爪部を挿入可能な被挿入部を有することを特徴とする［２］または［３］に記載のクリアファイル用スタンド基板。
［５］前記起立部が、後面部と、前記支持辺を有する左側面部（２４）と、前記支持辺を有する右側面部（２５）と、前記後面部と前記左側面部とを連絡する左側折曲線（２４ａ）と、前記後面部と前記右側面部とを連絡する右側折曲線（２５ａ）とを備えることを特徴とする［２］ないし［４］のいずれかに記載のクリアファイル用スタンド基板。
［６］前記左側面部および前記右側面部が、それぞれ中抜き形成された被挿通部をそれぞれ備えることを特徴とする［５］に記載のクリアファイル用スタンド基板。
［７］さらに、前記底面部と前記前面飾部とを連絡する前面飾部折曲線（２１ａ）を備え、
前記前面飾部折曲線に沿って前記前面飾部を折り曲げると、前記前面飾部が前記起立部と対向して起立した状態となることを特徴とする［５］または［６］に記載のクリアファイル用スタンド基板。
［８］前記前面飾部折曲線（２１ａ）、前記底面部折曲線（２２ａ）、前記左側折曲線（２４ａ）および前記右側折曲線（２５ａ）を第一の方向に折り曲げることで前記起立部の支持辺にクリアファイルを立て掛けて面陳列可能に組み立てることができること、
前記前面飾部折曲線（２１ａ）、前記底面部折曲線（２２ａ）、前記左側折曲線（２４ａ）および前記右側折曲線（２５ａ）を第一の方向と異なる第二の方向に折り曲げることで前記起立部の支持辺にクリアファイルを立て掛けて面陳列可能に組み立てることができることを特徴とする［５］ないし［７］のいずれかに記載のクリアファイル用スタンド基板。
また、［１］ないし［８］のいずれかに記載のクリアファイル用スタンド基板において、前記後面部が、掛止具を用いて掛止させるときの目印となるマークを備えることを特徴としてもよい。
［９］［１］ないし［８］のいずれかに記載のクリアファイル用スタンド基板が収納されたクリアファイル用スタンド基板付きクリアファイル。
［１０］前記前面飾部の左右方向の幅が、前記クリアファイルの左右方向の幅より僅かに小さいことを特徴とする［９］に記載のクリアファイル用スタンド基板付きクリアファイル。
【発明の効果】
【０００７】
本発明によれば、クリアファイルと一体的に、かつ、看者の購買意欲を喚起する態様で供されるクリアファイル用スタンド基板およびクリアファイル用スタンド基板付きクリアファイルを提供することが可能となる。
【図面の簡単な説明】
【０００８】
【図１】クリアファイルを僅かに開いた状態の正面図である。
【図２】スタンド基板の展開図である。
【図３】クリアファイルにスタンド基板を収納した状態における正面図である。
【図４】スタンド基板の組み立て手順を示す図である。
【図５】スタンドの組立て完成図であり、（ａ）斜視図、（ｂ）側面図である。
【図６】スタンドにクリアファイルを立て掛けた使用状態を示す斜視図である。
【図７】図６におけるクリアファイルが湾曲した状態のイメージを示す部分拡大図である。
【図８】クリアファイルにスタンド基板（変形例）を収納した状態における正面図である。
【発明を実施するための形態】
【０００９】
本発明は、規格サイズの紙（例えば、Ａ４、Ｂ４）等を収納できる大きさに作製されたクリアファイルと、そのクリアファイルを面陳列する際に用いられるスタンドのスタンド基板に関する。
クリアファイルの使い方として、規格サイズの紙を収納して保管等するいわゆる本来的な使い方に加え、クリアファイルをスタンドに立て掛けることで面陳列して鑑賞用とする使い方を前提としている。例えば、コンサートで歌手の画像が印刷されたクリアファイルが配付されることがあり、当該クリアファイルを綺麗に飾りたいというファンのニーズに本発明は応えるものでもある。
以下では、本発明のクリアファイルとスタンド基板の詳細を実施形態例により説明する。
【００１０】
［クリアファイル］
図１は、実施形態例に係るクリアファイルＦを僅かに開いた状態の正面図である。
実施形態例に係るクリアファイルＦは、主にＡ４サイズの紙を収納できる大きさの公知の構造を有するクリアファイルであり、横幅および高さの各寸法は略２２０ｍｍおよび略３１０ｍｍである。
透光性を備えた樹脂（例えば、ＰＰ（ポリプロピレン）やＰＥＴ（ポリエチレンテレフタレート）等）のシートの中央部分に型押ししたスジに沿って折り曲げて二枚重ねとし、上記折り曲げにより形成された折曲辺１１に接する１つの接合辺１２を熱や超音波を用いた溶着等で接合することによって、樹脂シートを袋状としている。接合辺１２は、熱や超音波を用いた溶着等によって形成される接合部１２１と共に形成してもよい。接合部１２１は、折曲辺１１近傍を非接合とする長さで形成されている。そして、残り二箇所の開上辺１３、開側辺１４から紙を挿入し、二枚の樹脂シートの間に紙を挟持させるように収納するものである。
開側辺１４の上部には、収納された紙を取り出すための指掛用凹部１５が設けられている。
開側辺１４の下部には、接合辺１２の接合の剥離を防止するための応力分散用凹部１６が設けられている。
二枚の樹脂シートのそれぞれの表面および裏面に、任意の画像（例えば、イベント出演者・キャラクターの肖像・画像等）を印刷などにより施すことができる。実施形態例に係るクリアファイルＦは、少なくとも二枚の樹脂シートのいずれかの表面または裏面に外部から視認可能に任意の画像が施されている。
【００１１】
［スタンド基板］
図２は、実施形態例に係るスタンド基板Ｐの展開図である。以下の説明における上下方向は図２における上下方向を指すものとする。
実施形態例に係るスタンド基板Ｐは、透光性を備えた樹脂（例えば、ＰＰ（ポリプロピレン）やＰＥＴ（ポリエチレンテレフタレート）等）からなるビク型などにより打ち抜かれて作製された平板状の組立て用基板であり、起立部２０、前面飾部２１、底面部２２を備えている。起立部２０は、後面部２３、左側面部２４、右側面部２５（以下、左側面部２４および右側面部２５を総称して「両側面部２４、２５」という場合がある。）を備えて構成されている。左側面部２４は支持辺２４ｃを有し、右側面部２５は支持辺２５ｃを有しており、組立完成後、支持辺２４ｃ、２５ｃによりクリアファイルＦが支持される。支持辺２４ｃ、２５ｃは、クリアファイルＦを安定して支持可能な長さの接触を確保できれば、直線により構成する必要は無く、例えば凹凸を設けたり雲形としてもよい。両側面部２４、２５と底面部２２との間には、左側切り欠き４２および右側切り欠き４３が設けられている。
実施形態例に係るスタンド基板Ｐは、透明または半透明であるが、非透光性のものであってもよい。なお、ＰＰやＰＥＴは、コスト低廉、軽量かつ可撓性を有するとの利点を有し、しかも美麗で高級感を醸し出すことができる。
【００１２】
スタンド基板Ｐの厚みは、０．２〜１．５ｍｍの範囲で設定することができるが、０．２ｍｍだと強度に優れず、また０．６ｍｍを越えると折り曲げ容易性が損なわれるため、０．３〜０．５ｍｍの範囲の厚みとすることが好ましい（実施形態例では０．４ｍｍとした。）。
略かまぼこ型の前面飾部２１の横幅および高さの各寸法は略２１７ｍｍおよび略４０ｍｍであり、略Ｔ字状形の底面部２２の横幅および高さの各寸法は略２１９ｍｍおよび略８０ｍｍであり、略長方形の後面部２３の横幅および高さの各寸法は略８９ｍｍおよび略２２５ｍｍであり、両側面部２４、２５の略直角台形の上辺（長辺）、下辺（短辺）および高さの各寸法は略６５ｍｍ、略３５ｍｍおよび略２２５ｍｍである。
【００１３】
図２中において符号ｗにより示す、前面飾部２１の横幅寸法（左右幅寸法）は略２１７ｍｍであり、クリアファイルＦの横幅寸法（左右幅寸法）の略２２０ｍｍよりも僅かに小さく（３ｍｍ分だけ小さく）構成している。ここで前面飾部２１の横幅寸法ｗの大きさは、実施形態例の数値に限定されず、クリアファイルＦの横幅寸法よりも例えば１〜２０ｍｍ（好ましくは２〜１４ｍｍ、より好ましくは２〜８ｍｍ）分だけ小さく構成することができる。
また、図２中において符号ｈにより示す高さ寸法は略３０４ｍｍであり、クリアファイルＦの高さ寸法が略３１０ｍｍであることと、クリアファイルＦの接合部１２１がクリアファイルＦの最下端から略６ｍｍの高さ位置まで形成されていることに基づき、後述するクリアファイルＦの最深部までスタンド基板Ｐの下辺２９を挿入して収納した状態では、符号ｈにより示す高さの領域までがクリアファイルＦに収納される領域となる。
なお、各部２１〜２５の角部は取り扱いの便宜のためにＲ処理されている。
【００１４】
前面飾部２１の下端は、折曲線２１ａ部分で底面部２２の上端と連接しており、底面部２２の下端は折曲線２２ａ部分で後面部２３の上端と連接している。ただし、折曲線２１ａは必須の構成要素ではなく、設け無くともよい。折曲線２１ａを設けない態様においては、前面飾部２１は底面部２２と同一平面からなる底面を構成する。折曲線２２ａは、底面部２２を折り曲げて後面部２３を起立させる作用を奏する。折曲線２２ａによる折り曲げは、前方または後方の一方向に折り曲げて使用することが通常であるが、前方および後方の両方向に折り曲げて使用可能に構成してもよく、この場合、後述の折曲線２４ａおよび折曲線２５ａも両方向に折り曲げ可能に構成する必要がある。また、折曲線２２ａを両方向に折り曲げ可能とする場合、前面飾部２１の表面および裏面に描画する画像の方向に注意する必要がある。
また、略長方形状の後面部２３の左右両端は、折曲線２４ａおよび折曲線２５ａ部分で対称形状の両側面部２４、２５と連接している。前面飾部２１には、スリットは設けられておらず、比較的大きな画像を印刷するための綺麗な面が確保されている。前面飾部２１の高さ（短手方向の幅）は、前面飾部２１を除くスタンド基板Ｐの高さｈの、例えば１／３〜１／１５（好ましくは１／５〜１／１２）の範囲で設定されるが、少なくとも横幅方向中央部の高さを２ｃｍ以上確保することが好ましい。
【００１５】
各折曲線はプレスにより折筋部（押圧薄部）が形成されていて折り曲げが容易になっている。折曲部としての各折曲線は折り曲げが可能であればどのように形成されていてもよい。
折曲線２１ａ、折曲線２２ａ、折曲線２４ａおよび折曲線２５ａのような長さのある折曲線は、一定ピッチ（例えば、１０ｍｍピッチ）で貫通孔および折筋部が連続するミシン目状に形成されていると折り曲げがさらに容易となる。
前面飾部２１には、表面および裏面に、任意の画像（例えば、イベント名・開催年、イベント出演者・キャラクターの肖像・画像等）を印刷などにより施すことができる。実施形態例に係る前面飾部２１には、少なくとも表面（図２に表れる面）に任意の画像が施されている。前面飾部２１および底面部２２に跨がる模様等を描画してもよいし、後述の爪部２６、２７および係止片２８を前面飾部２１および底面部２２と異なる模様等にしてもよい。クリアファイルＦの所定の画像と関連した画像を表示して看者の購買意欲を喚起することが可能な表示が好適であるが、ノベルティ用の画像を表示するのでもよい。実施形態例では、前面飾部２１の上辺２１ｂを円弧状としているが、図示の態様に限定されるものではなく、任意の形状とすることができる（後述の変形例も参照のこと）。
【００１６】
底面部２２には、折曲線２４ａと折曲線２５ａのほぼ延長上の位置を基端（折曲線２６ａ、２７ａ）として起立可能に、一対の略かまぼこ型に形成されたスリット（切込み）により区分けされる、爪部２６、２７が形成されている。爪部２６、２７の横幅および高さの各寸法は、略２０ｍｍおよび略２０ｍｍである。後述する被挿入部２４ｂ、２５ｂへの挿入の容易化と係合状態から簡単に脱しないようにするため爪部２６、２７の略中央部に折曲線２６ａ、２７ａと平行な折曲線２６ｂ、２７ｂが形成されている。
また、底面部２２には、後面部２３よりの端部から略６５ｍｍの位置に左右方向の略中央の位置を基端（折曲線２８ａ）として起立可能に、一対の略かまぼこ型に形成されたスリット（切込み）により区分けされる、係止片２８が形成されている。実施形態例に係る係止片２８の横幅および高さの各寸法は、略２０ｍｍおよび略１０ｍｍである。後面部２３よりの端部からの距離である略６５ｍｍは、両側面部２４、２５の略直角台形の上辺（長辺）の長さとほぼ等しく、これも後述する立て掛けられたクリアファイルＦが湾曲した状態となることを実現する一要因となっている。なお、係止片２８の横幅および高さの各寸法は適宜変更可能であり、例えば、係止力を高めるために横幅および高さの寸法を実施形態よりも大きな値としてもよい。
【００１７】
後面部２３の開放端部よりの端部から略２５ｍｍの位置に径略１ｍｍの円形のマーク４１が付されており、後述するスタンドＳを掛止具としての画鋲などを用いて被掛止体としての壁などに掛止するための画鋲などを刺す位置の目印となる。マーク４１は円形に限定されず、星形、多角形、キャラクターなどの画像であってもよい。
【００１８】
左側面部２４の底面部２２よりの端部から略１０ｍｍの位置に左右方向にほぼ沿って略２０ｍｍのスリットにより爪部２６を組み立て時に挿入可能な被挿入部２４ｂが形成されている。被挿入部２４ｂの位置・寸法は、挿入のし易さや、抜けにくさ、強度の面から最適なものが採用されている。
また、左側面部２４の底面部２２よりの端部の一部には凸状の突起部３１が形成されている。突起部３１の横幅および高さの各寸法は、略５ｍｍおよび略０．４ｍｍである。
【００１９】
同様に、右側面部２５の底面部２２よりの端部から略１０ｍｍの位置に左右方向にほぼ沿って略２０ｍｍのスリットにより爪部２７を組み立て時に挿入可能な被挿入部２５ｂが形成されている。被挿入部２５ｂの位置・寸法は、挿入のし易さや、抜けにくさ、強度の面から最適なものが採用されている。
また、左側面部２５の底面部２２よりの端部の一部には凸状の突起部３２が形成されている。突起部３２の横幅および高さの各寸法は、略５ｍｍおよび略０．４ｍｍである。突起部３１、３２は、後述するスタンドＳの組立て完成状態において、スタンド基板Ｐの厚み寸法０．４ｍｍ分の段差を吸収して容易に倒れないように安定させる支持脚として機能する。なお、突起部３１、３２は必須の構成要素ではない。
【００２０】
［クリアファイルにスタンド基板を収納した状態］
図３は、クリアファイルＦにスタンド基板Ｐを収納した状態における正面図である。
クリアファイルＦの最深部までスタンド基板Ｐの下辺２９を挿入して収納した状態において、クリアファイルＦの開放辺１３（開放上辺）から表示領域としての前面飾部２１が露出する。流通時には図３の状態で透明パッケージに封入されたものが店頭に置かれ、前面飾部２１に施された所定の画像とクリアファイルＦに施された所定の画像とが相俟って看者の購買意欲を喚起する。図３とは異なり、表裏反転配置された画像の異なる複数枚のクリアファイルＦの間にスタンド基板Ｐを挟んでパッケージに封入してもよく、この場合、表面と裏面から異なる画像（例えば、猫の画像と犬の画像）を看取させることが可能となる。
また、クリアファイルＦに収納されずに飛び出て露出する前面飾部２１は、スタンド基板Ｐ全体のごくわずかな領域であり、嵩張ることなく取り扱いやすい状態で、クリアファイルＦとスタンド基板Ｐが一体的に提供されることとなる。
なお、販売等に際しては、クリアファイルＦにスタンド基板Ｐを収納したセット（図３のもの）を、別体の視認性を阻害しない透明な包装用ビニルなどで包装した状態としてもよい。
【００２１】
［スタンド基板の組み立て］
図４等を参照しながら、スタンド基板Ｐを組み立ててスタンドＳを完成する手順を説明する。例えば、クリアファイルＦにスタンド基板Ｐを収納した状態のセットを購入した者が、クリアファイルＦからスタンド基板Ｐを取り出してスタンド基板Ｐを組み立てる。
【００２２】
まず、スタンド基板Ｐを図２に表された状態から表裏面が逆になるように裏返した状態に位置させる。なお、谷折り等は、この裏返した状態におけるスタンド基板Ｐを基準とした上面視における方向を前提とする。
次に、折曲線２１ａに沿って谷折りし、底面部２２に対して前面飾部２１を略９０度の角度に起立させる。また、折曲線２２ａに沿って谷折りし、底面部２２に対して後面部２３を略９０度の角度に起立させる。また、折曲線２４ａおよび折曲線２５ａに沿って谷折りし、それぞれ後面部２３に対して両側面部２４、２５を略９０度の角度に前方（前面飾部２１の方向）へ折り曲げて互いに向き合わせる。底面部２２が略Ｔ字状形であるため両側面部２４、２５との間にスペースが形成されているので上記の折曲線２４ａおよび折曲線２５ａの谷折りが容易となっている。
さらに、折曲線２６ａおよび折曲線２７ａに沿って谷折りし、それぞれ底面部２２に対して爪部２６、２７を略９０度の角度に起立させる。このとき、折曲線２６ｂおよび折曲線２７ｂに沿って谷折りし、略３０度の角度に折り曲げる。爪部２６、２７をそれぞれ被挿入部２４ｂ、２５ｂに挿入し、容易に脱しない状態に係合させる。これにより、スタンドＳの組立て完成状態が容易に崩れないように安定的・継続的に保持することを可能としている。また、突起部３１、３２の存在によりスタンド基板Ｐの厚み寸法０．４ｍｍ分の段差を吸収して組立て完成状態のスタンドＳが容易に倒れないように安定化させることを可能としている。
そして、折曲線２８ａに沿って谷折りし、底面部２２に対して係止片２８を略９０度の角度に起立させる。
上記すべての折り曲げ作業が谷折りであるため容易に実施することができる。
【００２３】
［スタンドの組立て完成状態］
以下では説明の便宜上、組立前の状態を前面飾部２１、底面部２２、後面部２３、両側面部２４、２５の付番で説明し、組み立て後の状態を前面飾部２１１、底面部２２１、後面部２３１、左側面部２４１、右側面部２５１の付番で説明する。
図５（ａ）の斜視図に示すように、組立て完成状態のスタンドＳは、一枚のスタンド基板Ｐを折り曲げてなる前面飾部２１１、底面部２２１、後面部２３１、左側面部２４１、右側面部２５１が一体に形成され、後面部２３１、左側面部２４１および右側面部２５１が起立部２０を構成している。
左側面部２４１および右側面部２５１は、正立（垂直状態）から略５度の角度で後傾する斜辺である支持辺２４ｃ、２５ｃを有しており、クリアファイルＦをそれらの斜辺に立て掛けるとともに、クリアファイルＦの下端部を係止片２８によりさらに前方へ移動することを規制することができ、クリアファイルＦの面陳列が可能となっている。
また、図３に示すように、クリアファイルＦにスタンド基板Ｐを収納した状態では、露出して表示領域として看者の購買意欲を喚起する機能を果たした前面飾部２１が、組立て完成状態のスタンドＳでは前面飾部２１１となっており、面陳列されるクリアファイルＦの装飾的な機能を果たし、看者の満足感をより一層高めることに寄与する。
また、図５（ｂ）の側面図に示すように、前面飾部２１１と係止片２８の間の距離は略１４ｍｍであり、前面飾部２１１の大きさ・形状等とクリアファイルＦの大きさ・形状等のバランスから、立体感を与え、看者の美感に訴えるデザイン・装飾的効果が最大限となるようなスペースが設けられている。
【００２４】
［スタンドにクリアファイルを立て掛けた使用状態］
図６は、スタンドＳにクリアファイルＦを立て掛けて面陳列した使用状態を示す斜視図であり、透過的に見える部分を点線で図示している。スタンドＳは机や棚等の上に載置されるのみでなく、画鋲等により壁等に掛止させられてもよい。
クリアファイルＦの表面または裏面のいずれかを前面（陳列面）にし、クリアファイルＦの後面の少なくとも一部は、スタンドＳの左側面部２４１および右側面部２５１の後傾する斜辺である支持辺２４ｃ、２５ｃと接している。左側面部２４１および右側面部２５１の傾斜に導かれてクリアファイルＦの陳列面もやや上方に向くこととなり、看者の視認性の向上が図られる。
クリアファイルＦの下端部の大部分は底面部２２１と接しており、クリアファイルＦの下端部は係止片２８によりさらに前方へ移動することが規制されている。
図７の部分拡大図（イメージ）に示すように、スタンドＳに立て掛けられたクリアファイルＦは、わずかに後方に凸に湾曲した状態で係止させられる。別の言い方をすれば、支持辺２４ｃ、２５ｃに立て掛けられたクリアファイルＦは、係止片２８に接合辺１２の中央部分を押圧されて上面視アーチ形となる。これは、係止片２８の位置・大きさと、スタンドＳの左側面部２４１および右側面部２５１の位置・傾斜などの関係に起因する。クリアファイルＦがわずかに湾曲した状態で保持されると、デザイン性の高い曲面シルエットが実現できるとともに、クリアファイルＦをスタンドＳに立て掛けた姿勢の維持性が高くなるという利点がある。
面陳列されるクリアファイルＦに施された所定の画像に、スタンドＳの前面飾部２１１に施された所定の画像が装飾的に加わり、看者の満足感を相乗的に高めることができる。
なお、クリアファイルＦは、横向き（長手方向が左右方向の向き）に立て掛けられることがあってもよい。また、クリアファイルの下辺２９の中央部分またはその近傍（或いは、折曲辺１１の中央部分またはその近傍）に係止片２８を挿入するための挿入孔を設けてもよい。
【００２５】
［変形例］
図８は、クリアファイルＦにスタンド基板Ｐ´を収納した状態における正面図である。スタンド基板Ｐ´のクリアファイルＦの開放辺１３（開放上辺）から露出する表示領域としての前面飾部２１´の上辺２１ｂ´が波型に形成されている。なお、上辺２１ｂ´は波型に限定されず、例えば動物の耳型などの任意の形状に形成されてよい。
【００２６】
スタンドＳの係止片２８を利用することなく、クリアファイルＦをスタンドＳの左側面部２４１および右側面部２５１に立て掛けることであってもよい。複数のクリアファイルＦを立て掛けるときなどには有益である。例えば、イベントの複数の出演者ごとや、各年のイベントごとのクリアファイルＦを収集している場合では、複数のクリアファイルＦを同時にスタンドＳに立て掛けて保管しておくことが望まれることがある。
【００２７】
スタンドＳの左側面部２４１（左側面部２４）および右側面部２５１（右側面部２５）に、クリアファイルＦを挿通して格納するための中抜きして形成された長孔からなる被挿通部（不図示）をそれぞれ形成し、複数のクリアファイルＦのうち面陳列しないものを被挿通部に挿通して保管しておけるようにしてもよい。
【００２８】
以上、本開示にて実施形態を単に例示として詳細に説明したが、本発明の新規な教示および有利な効果から実質的に逸脱せずに、その実施の形態には多くの改変例が可能である。例えば、クリアファイルＦおよびスタンド基板Ｐの各部は、任意の数、位置、形状・材質等に適宜変更して形成されることであってよい。
【符号の説明】
【００２９】
Ｆ  クリアファイル
Ｐ、Ｐ´  スタンド基板
Ｓ  スタンド
１１  折曲辺
１２  接合辺（下辺）
１２１  接合部
１３  開上辺
１４  開側辺
１５  指掛用凹部
１６  応力分散用凹部
２０  起立部
２１、２１´  前面飾部
２２  底面部
２３  後面部
２４  左側面部
２５  右側面部
２６、２７  爪部
２８  係止片
２９  下辺
３１、３２  突起部
４１  マーク
４２  左側切り欠き
４３  右側切り欠き
２１１  前面飾部（組立後）
２２１  底面部（組立後）
２３１  後面部（組立後）
２４１  左側面部（組立後）
２５１  右側面部（組立後）
【図１】
2017203971.tif 000003
【図２】
2017203971.tif 000004
【図３】
2017203971.tif 000005
【図４】
2017203971.tif 000006
【図５】
2017203971.tif 000007
【図６】
2017203971.tif 000008
【図７】
2017203971.tif 000009
【図８】
2017203971.tif 000010